(57)【特許請求の範囲】
【請求項１】
パネル本体と、
前記パネル本体に内蔵される電気ヒータと、
前記電気ヒータに結線された状態で前記パネル本体を横断する電源線と、
前記電源線の一端側に接続された固定側コネクタと、
前記電源線の他端側に接続された可動側コネクタと、
前記固定側コネクタを前記パネル本体の一方の端部に収容固定する、前記パネル本体の裏面側に形成された固定側コネクタ収容凹部と、
前記可動側コネクタを前記パネル本体の相対する他方の端部から引出可能に収容する、前記パネル本体の裏面側に形成された可動側コネクタ収容凹部と、
前記固定側コネクタ収容凹部と前記可動側コネクタ収容凹部とを繋ぐように前記パネル本体の裏面側に形成された、前記電源線を収容する電源線収容溝と
を備えた床暖房パネルにおいて、
前記電源線収容溝を、その一方の側壁が部分的に内側に窪み、他方の側壁における前記窪み部に対応する部分が外側に部分的に突出するように、前記可動側コネクタ収容凹部側で屈曲または湾曲させ、
前記可動側コネクタを前記パネル本体から引き出した状態では、内側に窪んだ一方の側壁側に前記電源線が移動し、前記可動側コネクタを前記可動側コネクタ収容凹部に収容した状態では、外側に突出した他方の側壁側に前記電源線が移動することで、前記電源線の余剰分が前記電源線収容溝に収容されるようになっていることを特徴とする床暖房パネル。
【発明の詳細な説明】
【０００１】
【発明の属する技術分野】
この発明は、パネル本体に内蔵される電気ヒータに結線された電源線の両端部にそれぞれコネクタが接続され、一方のコネクタがパネル本体から引出可能に収容される床暖房パネルに関する。
【０００２】
【従来の技術】
この種の床暖房パネルとしては、図７に示すようなものがある。この床暖房パネル５０は、同図（ａ）、（ｂ）に示すように、長手方向に伸びる複数の擬似溝５１ａと短手方向に伸びる複数の擬似溝５１ｂとが表面に形成された、平面形状が長方形のパネル本体５１に自己温度制御特性を有する面状発熱体５２が内蔵されていると共に、この面状発熱体５２に接続される２本の電源線５３及び１本のアース線５４がパネル本体５１の短手方向を横断するように配設されており、この電源線５３及びアース線５４の両端部にはそれぞれコネクタ５５、５６が接続されている。
【０００３】
一方のコネクタ５５は、図８（ａ）に示すように、パネル本体５１の一方の長辺側に形成された収容凹部５７に収容された状態で固定設置されており、他方のコネクタ５６は、図７（ｂ）及び図８（ｂ）〜（ｄ）に示すように、パネル本体５１の他方の長辺側に形成された収容凹部５８にパネル本体５１から引出可能に収容されている。
【０００４】
固定側のコネクタ５５を収容するための収容凹部５７は、図７（ｂ）及び図８（ａ）に示すように、コネクタ５５を丁度収容することができる程度の大きさに設定されているが、可動側のコネクタ５６を収容するための収容凹部５８は、図７（ｂ）及び図８（ｂ）に示すように、コネクタ５６の収容作業性を考慮して、収容しようとするコネクタ５６に比べて、その幅や奥行きが大きく設定されている。
【０００５】
また、パネル本体５１の裏面側には、図８（ｄ）に示すように、収容凹部５７、５８を繋ぐように、２本の電源線５３と１本のアース線５４とが収容される電源線収容溝５９が形成されており、この電源線収容溝５９は、電源線５３やアース線５４の余剰分を収容し易くするために、可動側のコネクタ５６が収容される収容凹部５８側において、その幅を部分的に大きくした幅広部５９ａが設けられている。
【０００６】
【発明が解決しようとする課題】
上述したように、電源線収容溝５９に幅広部５９ａを設けておくと、一方の床暖房パネル５０における可動側のコネクタ５６に他方の床暖房パネル５０における固定側のコネクタ５５を接続した後、可動側のコネクタ５６を収容凹部５８に収容しながら両床暖房パネル５０同士を相互に接合する際に、図８（ｄ）に示すように、電源線５３やアース線５４の余剰分を屈曲させた状態で電源線収容溝５９の幅広部５９ａに容易に収容することができるので、床暖房パネル５０の接合作業性（敷設作業性）が向上すると共に、電源線５３やアース線５４に無理な力が加わらないので、電源線５３やアース線５４が損傷を受けにくいという利点が得られることは確かである。
【０００７】
しかしながら、電源線収容溝５９に幅広部５９ａを設けるということは、パネル本体５１に形成される空間が大きくなるということ、即ち、パネル本体の厚みの小さい領域が大きくなるということであり、床暖房パネル５０に十分なパネル強度を確保することができなくなるおそれがある。
【０００８】
そこで、この発明の課題は、接合する際における電源線等の余剰分の収容作業性に優れ、しかも、パネル本体の強度低下を最小限に抑えることのできる床暖房パネルを提供することにある。
【０００９】
【課題を解決するための手段及びその効果】
上記の課題を解決するため、パネル本体と、前記パネル本体に内蔵される電気ヒータと、前記電気ヒータに結線された状態で前記パネル本体を横断する電源線と、前記電源線の一端側に接続された固定側コネクタと、前記電源線の他端側に接続された可動側コネクタと、前記固定側コネクタを前記パネル本体の一方の端部に収容固定する、前記パネル本体の裏面側に形成された固定側コネクタ収容凹部と、前記可動側コネクタを前記パネル本体の相対する他方の端部から引出可能に収容する、前記パネル本体の裏面側に形成された可動側コネクタ収容凹部と、前記固定側コネクタ収容凹部と前記可動側コネクタ収容凹部とを繋ぐように前記パネル本体の裏面側に形成された、前記電源線を収容する電源線収容溝とを備えた床暖房パネルにおいて、前記電源線収容溝を、その一方の側壁が部分的に内側に窪み、他方の側壁における前記窪み部に対応する部分が外側に部分的に突出するように、前記可動側コネクタ収容凹部側で屈曲または湾曲させ、前記可動側コネクタを前記パネル本体から引き出した状態では、内側に窪んだ一方の側壁側に前記電源線が移動し、前記可動側コネクタを前記可動側コネクタ収容凹部に収容した状態では、外側に突出した他方の側壁側に前記電源線が移動することで、前記電源線の余剰分が前記電源線収容溝に収容されるようになっていることを特徴とする床暖房パネルを提供するものである。
【００１０】
以上のように構成された床暖房パネルでは、固定側コネクタ収容凹部と可動側コネクタ収容凹部とを繋ぐようにパネル本体の裏面側に形成された電源線収容溝を、その一方の側壁が部分的に内側に窪み、他方の側壁における前記窪み部に対応する部分が外側に部分的に突出するように、可動側コネクタ収容凹部側で屈曲または湾曲させているので、可動側コネクタを可動側コネクタ収容凹部に収容する際、電源線の余剰分が電源線収容溝の屈曲部分に沿うようにスムーズに収容されるので、電源線が損傷を受けにくく、床暖房パネルの接合作業性が低下することもない。
【００１１】
また、この電源線収容溝は、一方の側壁が部分的に内側に窪み、他方の側壁における前記窪み部に対応する部分が外側に部分的に突出するように、可動側コネクタ収容凹部側で単に屈曲または湾曲しているだけなので、溝幅が大きくなった幅広部を有している従来の床暖房パネルに比べて、パネル本体の厚みが部分的に薄くなる電源線収容溝の占有面積が小さくなり、パネル強度の低下を最小限に抑えることができるという効果がある。
【００１２】
【発明の実施の形態】
以下、実施の形態について図面を参照して説明する。図１〜図３に示すように、この床暖房パネル１は、長方形状のパネル本体１０と、このパネル本体１０に内蔵される自己温度制御特性を有する面状発熱体２０と、この面状発熱体２０に結線された状態でパネル本体１０をその短手方向に横断する電源線３０ａ及びアース線３０ｂと、この電源線３０ａ及びアース線３０ｂの両端にそれぞれ接続されたコネクタ４０ａ、４０ｂとから構成されている。
【００１３】
前記パネル本体１０は、図１（ａ）、（ｂ）及び図２（ａ）、（ｂ）に示すように、表面に突板等の表面化粧材（図示せず）が貼着された、３プライ合板または５プライ合板等の木質板からなるパネル基材１１と、このパネル基材１１の裏面側に形成された嵌合凹部１１ａに嵌め込まれる、合板や中質繊維板（ＭＤＦ）等からなる裏板１６ａ、１６ｂとから構成されており、パネル基材１１の表面には、長手方向に伸びる３本の擬似溝１２ａが一定間隔で形成されていると共に、短手方向に伸びる複数本の擬似溝１２ｂがランダムな位置に形成されている。
【００１４】
パネル基材１１の端面には、図１（ａ）、（ｂ）及び図３（ａ）に示すように、実結合するための雄実部１３ａまたは雌実部１３ｂが形成されており、パネル基材１１の裏面側には、嵌合凹部１１ａの内側に面状発熱体２０を収容するための発熱体収容凹部１１ｂが形成されている。
【００１５】
また、パネル基材１１の裏面側には、図２（ａ）に示すように、その長辺部分に前記固定側コネクタ４０ａ及び可動側コネクタ４０ｂをそれぞれ収容するための固定側コネクタ収容凹部１４ａ及び可動側コネクタ収容凹部１４ｂが形成されていると共に、電源線３０ａ及びアース線３０ｂが横断する部分に両コネクタ収容凹部１４ａ、１４ｂを結ぶ浅い連結溝１５が形成されている。図３（ｃ）及び図６（ａ）、（ｂ）に示すように、固定側コネクタ４０ａは、固定側コネクタ収容凹部１４ａ内に収容された状態で固定設置されるが、可動側コネクタ４０ｂは、パネル基材１１から引出可能に可動側コネクタ収容凹部１４ｂ内に収容されるようになっている。
【００１６】
可動側コネクタ４０ｂをパネル基材１１から引出可能に収容する可動側コネクタ収容凹部１４ｂには、図２（ａ）及び図３（ｂ）、（ｃ）に示すように、その上面に、門型の補強板１７が固着されており、この補強板１７によって可動側コネクタ収容凹部１４ｂの上面が完全に覆われている。この補強板１７は、アルマイト仕上げ（絶縁処理済み）のアルミニウムによって形成されており、図５に示すように、可動側コネクタ収容凹部１４ｂの上面を覆う本体部１７ａと、この本体部１７ａの両側縁から垂下した垂下部１７ｂ、１７ｃとから構成されている。
【００１７】
可動側コネクタ収容凹部１４ｂは、電源線３０ａ及びアース線３０ｂの一部を屈曲させた状態でコネクタ４０ｂと共に収容しなければならないので、図２（ａ）、図３（ｃ）、図４に示すように、固定側コネクタ収容凹部１４ａに比べてその幅及び奥行きが大きくなっている。
【００１８】
前記面状発熱体２０は、図２（ｃ）に交斜線で示すように、発熱部分２１が二分割されており、二分割された発熱部分２１間の非発熱部分に、固定側コネクタ４０ａ及び可動側コネクタ４０ｂがそれぞれ接続された電源線３０ａ及びアース線３０ｂが予め結線された状態で配設されている。なお、この面状発熱体２０には、表面側にアルミニウム箔等からなる熱伝導性の良好な均熱シート（図示せず）が予め貼着された状態で、合成樹脂フィルムによってラミネートされている。
【００１９】
この面状発熱体２０は、図１（ｂ）及び図３（ａ）に示すように、パネル基材１１に形成された発熱体収容凹部１１ｂに収容した状態で、嵌合凹部１１ａに裏板１６ａ、１６ｂを嵌め込んでパネル基材１１に固定することにより、発熱体収容凹部１１ｂ内に保持されるようになっている。
【００２０】
裏板１６ａ、１６ｂは、発熱体収容凹部１１ｂに収容された面状発熱体２０の発熱部分２１を略覆うように、一定の間隔を開けた状態でパネル基材１１にそれぞれ固定されており、裏板１６ａ、１６ｂをパネル基材１１に固定した状態では、パネル本体１０の裏面側における裏板１６ａ、１６ｂの間に、電源線３０ａ及びアース線３０ｂを収容するための電源線収容溝１８が、固定側コネクタ収容凹部１４ａと可動側コネクタ収容凹部１４ｂとを繋ぐように形成されている。従って、裏板１６ａ、１６ｂによって形成される電源線収容溝１８に収容された電源線３０ａ及びアース線３０ｂはパネル本体１０の裏面側に露出した状態となっている。
【００２１】
裏板１６ａ、１６ｂによって形成される電源線収容溝１８は、図１（ｂ）及び図６（ａ）、（ｂ）に示すように、可動側コネクタ収容凹部１４ｂ側に屈曲部１８ａを有しており、図６（ａ）に示すように、電源線３０ａ及びアース線３０ｂは、屈曲部１８ａに沿うように僅かに湾曲（屈曲）した状態で収容されている。
【００２２】
以上のように、この床暖房パネル１は、固定側コネクタ収容凹部１４ａと可動側コネクタ収容凹部１４ｂとを繋ぐようにパネル本体１０の裏面側に形成された電源線収容溝１８を、可動側コネクタ収容凹部１４ｂ側で屈曲させることによって、収容される電源線３０ａ及びアース線３０ｂを予め僅かに湾曲（屈曲）させるようにしているので、可動側コネクタ４０ｂを可動側コネクタ収容凹部１４ｂに収容する際、電源線３０ａ及びアース線３０ｂに無理な力が加わることなく、その余剰分が電源線収容溝１８の屈曲部１８ａに沿ってスムーズに収容されることになる（図６（ｂ）参照）。従って、可動側コネクタ４０ｂを可動側コネクタ収容凹部１４ｂに収容する際に、電源線３０ａ及びアース線３０ｂが損傷を受けにくく、しかも、良好な接合作業性を確保することができる。
【００２３】
また、この電源線収容溝１８は可動側コネクタ収容凹部１４ｂ側で単に屈曲させているだけで、従来の床暖房パネルのように、部分的に溝幅を大きくした幅広部が存在しないので、パネル本体１０の肉厚が部分的に小さくなる電源線収容溝１８の占有面積が小さくなり、電源線収容溝を形成することに伴うパネル強度の低下を最小限に抑えることができるという効果がある。
【００２４】
また、この床暖房パネル１では、ある程度の大きさに設定しなければならない可動側コネクタ収容凹部１４ｂの上面にアルミニウム製の補強板１７を固着するようにしているので、可動側コネクタ収容凹部１４ｂが形成されている部分におけるパネル本体１０の強度低下を有効に抑えることができる。
【００２５】
なお、上述した実施形態では、電源線収容溝１８を可動側コネクタ収容凹部１４ｂ側で屈曲させているが、これに限定されるものではなく、滑らかに湾曲した湾曲部を形成することも可能である。
【００２６】
また、上述した実施形態では、電気ヒータとして自己温度制御特性を有する面状発熱体２０を使用しているが、これに限定されるものではなく、線ヒータを使用することも可能であり、その場合は、アース線を省略してもよい。
【００２７】
また、上述した実施形態は、パネル本体１０が長方形状の床暖房パネルであるが、本発明の床暖房パネルは、こういった形状に限定されるものではなく、パネル本体が雁行形状の床暖房パネルについても適用することができることは言うまでもない。
【００２８】
また、上述した実施形態では、アルミニウム製の補強板１７を使用しているが、アルミニウム以外の金属や合成樹脂によって形成された補強板を使用することもでき、垂下部１７ｂ、１７ｃを省略することも可能である。ただし、垂下部１７ｂ、１７ｃを設けることによって、補強板１７の強度が向上することはいうまでもない。
【図面の簡単な説明】
【図１】（ａ）はこの発明にかかる床暖房パネルの一実施形態を示す平面図、（ｂ）は同上の床暖房パネルを示す裏面図である。
【図２】（ａ）は同上の床暖房パネルにおけるパネル基材を示す裏面図、（ｂ）は同上の床暖房パネルにおける裏板を示す裏面図、（ｃ）は同上の床暖房パネルにおける面状発熱体を示す裏面図である。
【図３】（ａ）は図１（ａ）のＸ−Ｘ線に沿った断面図、（ｂ）は図１（ａ）のＹ−Ｙ線に沿った断面図、（ｃ）は図１（ａ）のＺ−Ｚ線に沿った断面図である。
【図４】同上の床暖房パネルにおける可動側コネクタを可動側コネクタ収容凹部に収容した状態を示す端面図である。
【図５】同上の床暖房パネルに使用される補強板を示す斜視図である。
【図６】（ａ）は可動側コネクタを引き出した状態を示す床暖房パネルの部分拡大裏面図、（ｂ）は可動側コネクタを可動側コネクタ収容部に収容した状態を示す床暖房パネルの部分拡大裏面図である。
【図７】（ａ）は従来の床暖房パネルを示す平面図、（ｂ）は同上の床暖房パネルを示す裏面図である。
【図８】（ａ）〜（ｃ）は同上の床暖房パネルを示す断面図、（ｄ）は可動側のコネクタをパネル本体に収容した状態を示す床暖房パネルの部分拡大裏面図である。
【符号の説明】
１  床暖房パネル
１０  パネル本体
１１  パネル基材
１４ａ  固定側コネクタ収容凹部
１４ｂ  可動側コネクタ収容凹部
１６ａ、１６ｂ  裏板
１７  補強板
１８  電源線収容溝
１８ａ  屈曲部
２０  面状発熱体
３０ａ  電源線
３０ｂ  アース線
４０ａ  固定側コネクタ
４０ｂ  可動側コネクタ
【図１】
0004172899.tif 000002
【図２】
0004172899.tif 000003
【図３】
0004172899.tif 000004
【図４】
0004172899.tif 000005
【図５】
0004172899.tif 000006
【図６】
0004172899.tif 000007
【図７】
0004172899.tif 000008
【図８】
0004172899.tif 000009